(57)【要約】【課題】マルチパスによる干渉を、マルチパス成分のレプリカを用いてより確実に除去することができるようにする。【解決手段】遅延部１２から供給された時間域受信信号と、可変係数FIRフィルタ１１により生成された先行波レプリカの各時刻における相関が相関計算部５２において計算され、先行波レプリカの電力が電力計算部５３において計算される。レプリカ判定部５４においては、計算された相関値と先行波レプリカの電力値に基づいて、先行波レプリカが正しいものであるか否かが判定される。先行波レプリカが正しいものであると判定された場合、選択部５１においては、減算部１３から供給された先行波除去時間域信号が選択され、正しいものではないと判定された場合、遅延部１２から供給された時間域受信信号が選択される。本発明は、マルチパスの干渉を受ける信号を受信する受信装置に適用することができる。【選択図】図３
2010074577.tif 000002
【特許請求の範囲】
【請求項１】
マルチパスの干渉を受けた受信信号に適応フィルタをかけることによってマルチパス成分のレプリカを生成するレプリカ生成手段と、
前記レプリカ生成手段により生成された前記レプリカを前記受信信号から減算することによってマルチパス成分を除去した前記受信信号であるマルチパス成分除去信号を生成する除去手段と、
前記受信信号と前記レプリカの相関値を計算する相関値計算手段と、
前記レプリカの電力値を計算する電力値計算手段と、
前記相関値計算手段により計算された相関値と前記電力値計算手段により計算された電力値に基づいて、前記レプリカ生成手段により生成された前記レプリカが、前記受信信号に含まれるマルチパス成分のレプリカであるか否かを判定する判定手段と、
前記レプリカ生成手段により生成された前記レプリカが前記受信信号に含まれるマルチパス成分のレプリカであると前記判定手段により判定された場合、前記除去手段により生成された前記マルチパス成分除去信号を出力し、前記レプリカ生成手段により生成された前記レプリカが前記受信信号に含まれるマルチパス成分のレプリカではないと前記判定手段により判定された場合、前記受信信号を出力する選択手段と
を備える等化器。
【請求項２】
前記相関値計算手段は、各時刻における前記受信信号と前記レプリカの相関値の所定の時刻分の累加算を計算し、
前記電力値計算手段は、各時刻における前記レプリカの電力値の前記所定の時刻分の累加算を計算し、
前記判定手段は、前記電力値計算手段により計算された前記レプリカの電力値の累加算結果に対する、前記相関値計算手段により計算された前記レプリカの相関値の累加算結果の比が基準値を超えている場合、前記レプリカ生成手段により生成された前記レプリカが、前記受信信号に含まれるマルチパス成分のレプリカであると判定する
請求項１に記載の等化器。
【請求項３】
マルチパスの干渉を受けた受信信号に適応フィルタをかけることによってマルチパス成分のレプリカを生成し、
生成した前記レプリカを前記受信信号から減算することによってマルチパス成分を除去した前記受信信号であるマルチパス成分除去信号を生成し、
前記受信信号と前記レプリカの相関値を計算し、
前記レプリカの電力値を計算し、
計算した相関値と電力値に基づいて、生成した前記レプリカが、前記受信信号に含まれるマルチパス成分のレプリカであるか否かを判定し、
前記レプリカが前記受信信号に含まれるマルチパス成分のレプリカであると判定した場合、前記マルチパス成分除去信号を出力し、前記レプリカが前記受信信号に含まれるマルチパス成分のレプリカではないと判定した場合、前記受信信号を出力する
ステップを含む等化方法。
【請求項４】
マルチパスの干渉を受けた受信信号に適応フィルタをかけることによってマルチパス成分のレプリカを生成し、
生成した前記レプリカを前記受信信号から減算することによってマルチパス成分を除去した前記受信信号であるマルチパス成分除去信号を生成し、
前記受信信号と前記レプリカの相関値を計算し、
前記レプリカの電力値を計算し、
計算した相関値と電力値に基づいて、生成した前記レプリカが、前記受信信号に含まれるマルチパス成分のレプリカであるか否かを判定し、
前記レプリカが前記受信信号に含まれるマルチパス成分のレプリカであると判定した場合、前記マルチパス成分除去信号を出力し、前記レプリカが前記受信信号に含まれるマルチパス成分のレプリカではないと判定した場合、前記受信信号を出力する
ステップを含む処理をコンピュータに実行させるプログラム。
【請求項５】
マルチパスの干渉を受けた受信信号に適応フィルタをかけることによってマルチパス成分のレプリカを生成するレプリカ生成手段と、
前記レプリカ生成手段により生成された前記レプリカを前記受信信号から減算することによってマルチパス成分を除去した前記受信信号であるマルチパス成分除去信号を生成する除去手段と、
前記受信信号と前記レプリカの相関値を計算する相関値計算手段と、
前記レプリカの電力値を計算する電力値計算手段と、
前記相関値計算手段により計算された相関値と前記電力値計算手段により計算された電力値に基づいて、前記レプリカ生成手段により生成された前記レプリカが、前記受信信号に含まれるマルチパス成分のレプリカであるか否かを判定する判定手段と、
前記レプリカ生成手段により生成された前記レプリカが前記受信信号に含まれるマルチパス成分のレプリカであると前記判定手段により判定された場合、前記除去手段により生成された前記マルチパス成分除去信号を出力し、前記レプリカ生成手段により生成された前記レプリカが前記受信信号に含まれるマルチパス成分のレプリカではないと前記判定手段により判定された場合、前記受信信号を出力する選択手段と
を有する等化器を備える受信装置。
【請求項６】
マルチパスの干渉を受けたOFDM受信信号に適応フィルタをかけることによってマルチパス成分のレプリカを生成するレプリカ生成手段と、
前記OFDM受信信号の各シンボルに対して設定されるFFT区間のうちのマルチパスの干渉を受けている区間の信号を、その区間に対応する、前記レプリカ生成手段により生成された前記レプリカの区間の信号で置き換えることによってマルチパス成分を除去した前記OFDM受信信号であるマルチパス成分除去信号を生成する置き換え手段と、
前記OFDM受信信号と前記レプリカの相関値を計算する相関値計算手段と、
前記レプリカの電力値を計算する電力値計算手段と、
前記相関値計算手段により計算された相関値と前記電力値計算手段により計算された電力値に基づいて、前記レプリカ生成手段により生成された前記レプリカが、前記OFDM受信信号に含まれるマルチパス成分のレプリカであるか否かを判定する判定手段と、
前記レプリカ生成手段により生成された前記レプリカが前記OFDM受信信号に含まれるマルチパス成分のレプリカであると前記判定手段により判定された場合、前記置き換え手段により生成された前記マルチパス成分除去信号を出力し、前記レプリカ生成手段により生成された前記レプリカが前記OFDM受信信号に含まれるマルチパス成分のレプリカではないと前記判定手段により判定された場合、前記OFDM受信信号を出力する選択手段と
を備える等化器。
【請求項７】
前記相関値計算手段は、各時刻における前記OFDM受信信号と前記レプリカの相関値の所定の時刻分の累加算を計算し、
前記電力値計算手段は、各時刻における前記レプリカの電力値の前記所定の時刻分の累加算を計算し、
前記判定手段は、前記電力値計算手段により計算された前記レプリカの電力値の累加算結果に対する、前記相関値計算手段により計算された前記レプリカの相関値の累加算結果の比が基準値を超えている場合、前記レプリカ生成手段により生成された前記レプリカが、前記OFDM受信信号に含まれるマルチパス成分のレプリカであると判定する
請求項６に記載の等化器。
【請求項８】
マルチパスの干渉を受けたOFDM受信信号に適応フィルタをかけることによってマルチパス成分のレプリカを生成し、
前記OFDM受信信号の各シンボルに対して設定されるFFT区間のうちのマルチパスの干渉を受けている区間の信号を、その区間に対応する、前記レプリカの区間の信号で置き換えることによってマルチパス成分を除去した前記OFDM受信信号であるマルチパス成分除去信号を生成し、
前記OFDM受信信号と前記レプリカの相関値を計算し、
前記レプリカの電力値を計算し、
計算した相関値と電力値に基づいて、生成した前記レプリカが、前記OFDM受信信号に含まれるマルチパス成分のレプリカであるか否かを判定し、
前記レプリカが前記OFDM受信信号に含まれるマルチパス成分のレプリカであると判定した場合、前記マルチパス成分除去信号を出力し、前記レプリカが前記OFDM受信信号に含まれるマルチパス成分のレプリカではないと判定した場合、前記OFDM受信信号を出力する
ステップを含む等化方法。
【請求項９】
マルチパスの干渉を受けたOFDM受信信号に適応フィルタをかけることによってマルチパス成分のレプリカを生成し、
前記OFDM受信信号の各シンボルに対して設定されるFFT区間のうちのマルチパスの干渉を受けている区間の信号を、その区間に対応する、前記レプリカの区間の信号で置き換えることによってマルチパス成分を除去した前記OFDM受信信号であるマルチパス成分除去信号を生成し、
前記OFDM受信信号と前記レプリカの相関値を計算し、
前記レプリカの電力値を計算し、
計算した相関値と電力値に基づいて、生成した前記レプリカが、前記OFDM受信信号に含まれるマルチパス成分のレプリカであるか否かを判定し、
前記レプリカが前記OFDM受信信号に含まれるマルチパス成分のレプリカであると判定した場合、前記マルチパス成分除去信号を出力し、前記レプリカが前記OFDM受信信号に含まれるマルチパス成分のレプリカではないと判定した場合、前記OFDM受信信号を出力する
ステップを含む処理をコンピュータに実行させるプログラム。
【請求項１０】
マルチパスの干渉を受けたOFDM受信信号に適応フィルタをかけることによってマルチパス成分のレプリカを生成するレプリカ生成手段と、
前記OFDM受信信号の各シンボルに対して設定されるFFT区間のうちのマルチパスの干渉を受けている区間の信号を、その区間に対応する、前記レプリカ生成手段により生成された前記レプリカの区間の信号で置き換えることによってマルチパス成分を除去した前記OFDM受信信号であるマルチパス成分除去信号を生成する置き換え手段と、
前記OFDM受信信号と前記レプリカの相関値を計算する相関値計算手段と、
前記レプリカの電力値を計算する電力値計算手段と、
前記相関値計算手段により計算された相関値と前記電力値計算手段により計算された電力値に基づいて、前記レプリカ生成手段により生成された前記レプリカが、前記OFDM受信信号に含まれるマルチパス成分のレプリカであるか否かを判定する判定手段と、
前記レプリカ生成手段により生成された前記レプリカが前記OFDM受信信号に含まれるマルチパス成分のレプリカであると前記判定手段により判定された場合、前記置き換え手段により生成された前記マルチパス成分除去信号を出力し、前記レプリカ生成手段により生成された前記レプリカが前記OFDM受信信号に含まれるマルチパス成分のレプリカではないと前記判定手段により判定された場合、前記OFDM受信信号を出力する選択手段と
を有する等化器を備える受信装置。
【発明の詳細な説明】
【技術分野】
【０００１】
本発明は、等化器、等化方法、プログラム、受信装置に関し、特に、マルチパスによる干渉を、マルチパス成分のレプリカを用いてより確実に除去することができるようにした等化器、等化方法、プログラム、受信装置に関する。
【背景技術】
【０００２】
マルチパスが発生するような環境においては、伝送時にマルチパスの影響を受けることにより、信号の振幅および位相が送信時のものと受信時のものとで異なるものになってしまう。そのため、受信側では、受信信号の振幅および位相が送信されたものと等しくなるように信号の等化を行う必要がある。
【０００３】
マルチパス干渉を受けた受信信号を時間域で等化する一般的な方法として、マルチパス成分のレプリカを生成し、生成したレプリカを受信信号から減算することによってマルチパス成分を除去する方法が知られている。
【０００４】
図１は、受信信号からマルチパス成分を除去する従来の等化器の構成を示す図である。
【０００５】
等化器１は、可変係数FIRフィルタ１１、遅延部１２、減算部１３、および可変係数IIRフィルタ１４から構成される。前段の回路においてA/D(Analog/Digital)変換処理、同期処理などが施されることによって得られた時間域受信信号が可変係数FIRフィルタ１１と遅延部１２に入力される。
【０００６】
可変係数FIRフィルタ１１は、図示せぬ係数更新回路により生成された係数を用いてフィルタリングを行うことによって、主波よりも早く到来するマルチパス（以下、先行波という）成分のレプリカを生成する。可変係数FIRフィルタ１１により生成された先行波レプリカは減算部１３に供給される。
【０００７】
遅延部１２は、時間域受信信号の先行波と可変係数FIRフィルタ１１から出力された先行波レプリカが同じタイミングで減算部１３に供給されるように時間域受信信号を遅延させ、出力する。遅延部１２から出力された時間域受信信号は減算部１３に供給される。
【０００８】
減算部１３は、遅延部１２から供給された時間域受信信号から、可変係数FIRフィルタ１１により生成された先行波レプリカを減算することによって、時間域受信信号に含まれる先行波成分を除去もしくは抑圧する。先行波成分を除去もしくは抑圧することによって減算部１３により生成された時間域受信信号は、先行波除去時間域信号として出力される。
【０００９】
図１に示されるように、可変係数IIRフィルタ１４は減算部２１と可変係数FIRフィルタ２２から構成される。減算部１３から出力された先行波除去時間域信号は減算部２１に供給される。
【００１０】
減算部２１は、可変係数FIRフィルタ２２から供給された、主波よりも遅く到来するマルチパス（以下、遅延波という）成分のレプリカを先行波除去時間域信号から減算することによって、先行波除去時間域信号に含まれる遅延波成分を除去する。遅延波成分を除去することによって減算部２１により生成された遅延波除去時間域信号は、可変係数FIRフィルタ２２に供給されるとともに、等化器１の後段の回路に供給される。
【００１１】
可変係数FIRフィルタ２２は、減算部２１から供給された信号に対して、図示せぬ係数更新回路により生成された係数を用いてフィルタリングを施し、遅延波レプリカを生成する。可変係数FIRフィルタ２２により生成された遅延波レプリカは減算部２１に供給される。
【００１２】
このように、等化器１においては、可変係数FIRフィルタ１１，２２の係数を制御することによってマルチパス成分のレプリカが生成され、マルチパス成分のレプリカを用いて、受信信号に含まれるマルチパス成分が除去される。
【００１３】
【特許文献１】特開２００５−１５０８３９号公報
【発明の開示】
【発明が解決しようとする課題】
【００１４】
以上の等化方法によっては、可変係数FIRフィルタの係数が適切でないと、マルチパス成分を除去しきれないことに加えて、実際に存在するマルチパスの遅延時間の整数倍の時間を遅延時間として有するマルチパス成分を加えてしまうことになる。
【００１５】
また、パス位置の検出に失敗することで、本来、存在しないマルチパスのレプリカを生成してしまい、そのレプリカを用いて減算処理をすることによって新たなマルチパスを加えてしまうことにもなる。
【００１６】
このことは、ドップラーなどによる変動に係数の更新が追従しきれない場合や、遅延時間の長いマルチパスが受信信号に存在する場合に特に顕著になる。
【００１７】
本発明はこのような状況に鑑みてなされたものであり、マルチパスによる干渉を、マルチパス成分のレプリカを用いてより確実に除去することができるようにするものである。
【課題を解決するための手段】
【００１８】
本発明の一側面の等化器、または受信装置が備える等化器は、マルチパスの干渉を受けた受信信号に適応フィルタをかけることによってマルチパス成分のレプリカを生成するレプリカ生成手段と、前記レプリカ生成手段により生成された前記レプリカを前記受信信号から減算することによってマルチパス成分を除去した前記受信信号であるマルチパス成分除去信号を生成する除去手段と、前記受信信号と前記レプリカの相関値を計算する相関値計算手段と、前記レプリカの電力値を計算する電力値計算手段と、前記相関値計算手段により計算された相関値と前記電力値計算手段により計算された電力値に基づいて、前記レプリカ生成手段により生成された前記レプリカが、前記受信信号に含まれるマルチパス成分のレプリカであるか否かを判定する判定手段と、前記レプリカ生成手段により生成された前記レプリカが前記受信信号に含まれるマルチパス成分のレプリカであると前記判定手段により判定された場合、前記除去手段により生成された前記マルチパス成分除去信号を出力し、前記レプリカ生成手段により生成された前記レプリカが前記受信信号に含まれるマルチパス成分のレプリカではないと前記判定手段により判定された場合、前記受信信号を出力する選択手段とを備える。
【００１９】
前記相関値計算手段には、各時刻における前記受信信号と前記レプリカの相関値の所定の時刻分の累加算を計算させ、前記電力値計算手段には、各時刻における前記レプリカの電力値の前記所定の時刻分の累加算を計算させ、前記判定手段には、前記電力値計算手段により計算された前記レプリカの電力値の累加算結果に対する、前記相関値計算手段により計算された前記レプリカの相関値の累加算結果の比が基準値を超えている場合、前記レプリカ生成手段により生成された前記レプリカが、前記受信信号に含まれるマルチパス成分のレプリカであると判定させることができる。
【００２０】
本発明の一側面の等化方法またはプログラムは、マルチパスの干渉を受けた受信信号に適応フィルタをかけることによってマルチパス成分のレプリカを生成し、生成した前記レプリカを前記受信信号から減算することによってマルチパス成分を除去した前記受信信号であるマルチパス成分除去信号を生成し、前記受信信号と前記レプリカの相関値を計算し、前記レプリカの電力値を計算し、計算した相関値と電力値に基づいて、生成した前記レプリカが、前記受信信号に含まれるマルチパス成分のレプリカであるか否かを判定し、前記レプリカが前記受信信号に含まれるマルチパス成分のレプリカであると判定した場合、前記マルチパス成分除去信号を出力し、前記レプリカが前記受信信号に含まれるマルチパス成分のレプリカではないと判定した場合、前記受信信号を出力するステップを含む。
【００２１】
本発明の他の側面の等化器、または受信装置が備える等化器は、マルチパスの干渉を受けたOFDM受信信号に適応フィルタをかけることによってマルチパス成分のレプリカを生成するレプリカ生成手段と、前記OFDM受信信号の各シンボルに対して設定されるFFT区間のうちのマルチパスの干渉を受けている区間の信号を、その区間に対応する、前記レプリカ生成手段により生成された前記レプリカの区間の信号で置き換えることによってマルチパス成分を除去した前記OFDM受信信号であるマルチパス成分除去信号を生成する置き換え手段と、前記OFDM受信信号と前記レプリカの相関値を計算する相関値計算手段と、前記レプリカの電力値を計算する電力値計算手段と、前記相関値計算手段により計算された相関値と前記電力値計算手段により計算された電力値に基づいて、前記レプリカ生成手段により生成された前記レプリカが、前記OFDM受信信号に含まれるマルチパス成分のレプリカであるか否かを判定する判定手段と、前記レプリカ生成手段により生成された前記レプリカが前記OFDM受信信号に含まれるマルチパス成分のレプリカであると前記判定手段により判定された場合、前記置き換え手段により生成された前記マルチパス成分除去信号を出力し、前記レプリカ生成手段により生成された前記レプリカが前記OFDM受信信号に含まれるマルチパス成分のレプリカではないと前記判定手段により判定された場合、前記OFDM受信信号を出力する選択手段とを備える。
【００２２】
前記相関値計算手段には、各時刻における前記受信信号と前記レプリカの相関値の所定の時刻分の累加算を計算させ、前記電力値計算手段には、各時刻における前記レプリカの電力値の前記所定の時刻分の累加算を計算させ、前記判定手段には、前記電力値計算手段により計算された前記レプリカの電力値の累加算結果に対する、前記相関値計算手段により計算された前記レプリカの相関値の累加算結果の比が基準値を超えている場合、前記レプリカ生成手段により生成された前記レプリカが、前記受信信号に含まれるマルチパス成分のレプリカであると判定させることができる。
【００２３】
本発明の他の側面の等化方法またはプログラムは、マルチパスの干渉を受けたOFDM受信信号に適応フィルタをかけることによってマルチパス成分のレプリカを生成し、前記OFDM受信信号の各シンボルに対して設定されるFFT区間のうちのマルチパスの干渉を受けている区間の信号を、その区間に対応する、前記レプリカの区間の信号で置き換えることによってマルチパス成分を除去した前記OFDM受信信号であるマルチパス成分除去信号を生成し、前記OFDM受信信号と前記レプリカの相関値を計算し、前記レプリカの電力値を計算し、計算した相関値と電力値に基づいて、生成した前記レプリカが、前記OFDM受信信号に含まれるマルチパス成分のレプリカであるか否かを判定し、前記レプリカが前記OFDM受信信号に含まれるマルチパス成分のレプリカであると判定した場合、前記マルチパス成分除去信号を出力し、前記レプリカが前記OFDM受信信号に含まれるマルチパス成分のレプリカではないと判定した場合、前記OFDM受信信号を出力するステップを含む。
【００２４】
本発明の一側面においては、マルチパスの干渉を受けた受信信号に適応フィルタをかけることによってマルチパス成分のレプリカが生成され、生成された前記レプリカを前記受信信号から減算することによってマルチパス成分を除去した前記受信信号であるマルチパス成分除去信号が生成される。また、前記受信信号と前記レプリカの相関値が計算され、前記レプリカの電力値が計算され、計算した相関値と電力値に基づいて、生成された前記レプリカが、前記受信信号に含まれるマルチパス成分のレプリカであるか否かが判定される。前記レプリカが前記受信信号に含まれるマルチパス成分のレプリカであると判定された場合、前記マルチパス成分除去信号が出力され、前記レプリカが前記受信信号に含まれるマルチパス成分のレプリカではないと判定された場合、前記受信信号が出力される。
【００２５】
本発明の他の側面においては、マルチパスの干渉を受けたOFDM受信信号に適応フィルタをかけることによってマルチパス成分のレプリカが生成され、前記OFDM受信信号の各シンボルに対して設定されるFFT区間のうちのマルチパスの干渉を受けている区間の信号を、その区間に対応する、前記レプリカの区間の信号で置き換えることによってマルチパス成分を除去した前記OFDM受信信号であるマルチパス成分除去信号が生成される。前記OFDM受信信号と前記レプリカの相関値が計算され、前記レプリカの電力値が計算され、計算された相関値と電力値に基づいて、生成された前記レプリカが、前記OFDM受信信号に含まれるマルチパス成分のレプリカであるか否かが判定される。前記レプリカが前記OFDM受信信号に含まれるマルチパス成分のレプリカであると判定された場合、前記マルチパス成分除去信号が出力され、前記レプリカが前記OFDM受信信号に含まれるマルチパス成分のレプリカではないと判定された場合、前記OFDM受信信号が出力される。
【発明の効果】
【００２６】
本発明によれば、マルチパスによる干渉を、マルチパス成分のレプリカを用いてより確実に除去することができる。
【発明を実施するための最良の形態】
【００２７】
以下、発明を実施するための最良の形態について説明する。説明は以下の順序で行う。
１．第１の実施の形態（受信信号全体を対象として処理を行う例）
２．第２の実施の形態（OFDM受信信号全体のうちのマルチパスによる干渉を受けている区間を対象として処理を行う例）
【００２８】
＜第１の実施の形態＞
［等化器の構成］
図２は、本発明の一実施形態に係る受信装置の一部の構成例を示す図である。
【００２９】
受信装置３１にはチューナ４２、A/D変換器４３、同期処理器４４、等化器４５、および誤り訂正処理器４６が含まれる。このうちの少なくとも等化器４５は、LSI(Large Scale Integrated Circuit)の形で受信装置３１内に設けられる。
【００３０】
チューナ４２は、受信アンテナ４１において受信されたRF信号をIF信号に周波数変換し、IF信号をA/D変換器４３に出力する。
【００３１】
A/D変換器４３は、チューナ４２から供給されたIF信号に対してA/D変換を施し、デジタルのIF信号を同期処理器４４に出力する。
【００３２】
同期処理器４４は、A/D変換器４３から供給されたIF信号に対して同期処理を施し、同期処理を施すことによって得られた信号を等化器４５に出力する。
【００３３】
等化器４５は、同期処理器４４から供給された信号に含まれる伝送路の歪みの成分を除去し、得られた等化後信号を誤り訂正処理器４６に出力する。
【００３４】
誤り訂正処理器４６は、等化器４５から供給された等化後信号に対して誤り訂正処理を施し、誤り訂正処理を施すことによって得られたデータを復号データとして後段の回路に出力する。
【００３５】
図３は、図２の等化器４５の構成例を示す図である。図１の構成と同じ構成には同じ符号を付してある。
【００３６】
等化器４５には、先行波除去時間域信号を生成、出力する構成として、可変係数FIRフィルタ１１、遅延部１２、減算部１３に加えて、選択部５１、相関計算部５２、電力計算部５３、およびレプリカ判定部５４が設けられる。また、遅延波除去時間域信号を生成、出力する構成として、可変係数IIRフィルタ１４に加えて、選択部５５、相関計算部５６、電力計算部５７、およびレプリカ判定部５８が設けられる。図２の同期処理器４４から出力された時間域受信信号は可変係数FIRフィルタ１１と遅延部１２に入力される。
【００３７】
可変係数FIRフィルタ１１は、図示せぬ係数更新回路により生成された係数を用いてフィルタリングを行うことによって先行波レプリカを生成する。可変係数FIRフィルタ１１はレプリカ生成手段としての機能を有する。可変係数FIRフィルタ１１により生成された先行波レプリカは、減算部１３、相関計算部５２、および電力計算部５３に供給される。
【００３８】
遅延部１２は、可変係数FIRフィルタ１１からの先行波レプリカの出力タイミングと、時間域受信信号の出力タイミングが合うように、入力された時間域受信信号を遅延させ、出力する。遅延部１２から出力された時間域受信信号は、減算部１３、選択部５１、および相関計算部５２に供給される。
【００３９】
減算部１３は、遅延部１２から供給された時間域受信信号から、可変係数FIRフィルタ１１により生成された先行波レプリカを減算することによって先行波成分を除去もしくは抑圧する。減算部１３は、先行波成分の除去手段としての機能を有する。先行波成分を除去もしくは抑圧することによって減算部１３により生成された先行波除去時間域信号は選択部５１に供給される。
【００４０】
選択部５１は、レプリカ判定部５４による判定結果に応じて、遅延部１２から供給された時間域受信信号と、減算部１３から供給された先行波除去時間域信号のうちのいずれかを選択し、選択した信号を出力する。
【００４１】
後述するように、レプリカ判定部５４からは、可変係数FIRフィルタ１１により生成された先行波レプリカが正しいものであるか否かの判定結果を表す信号が供給されてくる。マルチパス成分の正しいレプリカとは、時間域受信信号に実際に含まれるマルチパス成分と同じ、または似ている信号をいう。
【００４２】
先行波レプリカが正しいものであるとレプリカ判定部５４により判定された場合、選択部５１においては、減算部１３から供給された先行波除去時間域信号が選択される。一方、先行波レプリカが正しいものではないとレプリカ判定部５４により判定された場合、遅延部１２から供給された時間域受信信号が選択される。
【００４３】
正しくない先行波レプリカを用いて時間域受信信号から信号成分を減算した場合、マルチパス成分を新たに加えてしまうことになり、受信性能が劣化する。従って、可変係数FIRフィルタ１１により生成された先行波レプリカが正しいものでない場合には、入力されたままの時間域受信信号を選択し、後段に出力するようにすることにより、このような弊害が生じるのを防止することが可能になる。
【００４４】
相関計算部５２は、遅延部１２から供給された時間域受信信号と、可変係数FIRフィルタ１１により生成された先行波レプリカの各時刻における相関を計算する。可変係数FIRフィルタ１１により生成された先行波レプリカが正しいものである場合、その先行波レプリカは時間域受信信号との相関が高い信号になる。相関計算部５２は、計算結果を表す信号をレプリカ判定部５４に出力する。
【００４５】
電力計算部５３は、可変係数FIRフィルタ１１により生成された先行波レプリカの電力を計算し、計算結果を表す信号をレプリカ判定部５４に出力する。
【００４６】
レプリカ判定部５４は、相関計算部５２により計算された相関値と、電力計算部５３により計算された先行波レプリカの電力値に基づいて、可変係数FIRフィルタ１１により生成された先行波レプリカが正しいものであるか否かを判定する。
【００４７】
ここで、先行波レプリカの正当性の判定方法について説明する。
【００４８】
遅延部１２から出力された時刻kでの時間域受信信号をa(k)、可変係数FIRフィルタ１１により生成され、出力された時刻kでの先行波レプリカをb(k)とする。先行波をa(0)(k)、主波をa(1)(k)、遅延波をa(2)(k)とすると、時間域受信信号a(k)は下式（１）のように表すことができる。括弧で囲んで示す上付の数字は時間軸上における信号の順番を表す。
【数１】
2010074577.tif 000003
【００４９】
また、a(k)，a(m)(k)（ｍ＝０,１,２）、およびb(k)は複素信号であるため、a(k)は下式（２）のように表すことができる。また、a(m)(k) は下式（３）のように表すことができ、b(k)は下式（４）のように表すことができる。
【数２】
2010074577.tif 000004
【数３】
2010074577.tif 000005
【数４】
2010074577.tif 000006
【００５０】
ただし、ar(k)，ai(k)，ar(m)(k)，ai(m)(k)（ｍ＝０,１,２）,br(k)、およびbi(k)は実数であり、jは虚数単位を表す。
【００５１】
各時刻における時間域受信信号a(k)と先行波レプリカb(k)の相関値を計算し、所定のN時刻分だけ、相関値を累加算することを考える。ただし、累加算を開始する時刻を０とする。
【００５２】
相関値のN時刻分の累加算結果をC=Cr+jCi、b(k)の共役を「-」を上に付けたb(k)とすると、その累加算結果C=Cr+jCiは下式（５）のように表すことができる。
【数５】
2010074577.tif 000007
【００５３】
特に、実部Crは下式（６）のように表すことができる。
【数６】
2010074577.tif 000008
【００５４】
係数が正しく、理想的な先行波レプリカが可変係数FIRフィルタ１１により生成されたとすると、時間域受信信号の主波や遅延波と先行波レプリカとの相関値は小さくなり、反対に、先行波と先行波レプリカの相関値は大きくなる。
【００５５】
式（６）において、主波や遅延波と先行波レプリカとの相関値は第２項および第３項の値として表され、先行波と先行波レプリカの相関値は第１項の値として表される。
【００５６】
また、理想的な先行波レプリカが生成されているならば、ar(0)(k)≒br(k)、かつ、ai(0)(k)≒bi(k)が成り立つので、式（６）のCrは下式（７）のように表すことができる。αは式（６）の第２項の値と第３項の値の和である。
【数７】
2010074577.tif 000009
【００５７】
先行波レプリカの各時刻における電力のN時刻分の累加算結果をPとおくと、式（７）の２行目の式の右辺第１項の値はPに一致する。
【００５８】
一方、先行波レプリカが正しく生成されなかったとすると、式（７）の１行目の式から２行目の式への変形はできず、１行目の式の第１項の値として表される、先行波と先行波レプリカの相関値も小さくなる。
【００５９】
可変係数FIRフィルタ１１により生成された先行波レプリカが正しいものであるか否か、すなわち、時間域受信信号に含まれる先行波の成分と同じ成分を表すものであるか否かの判定においては、以上のような原理が利用される。
【００６０】
式（６）で求められるCrを、先行波レプリカの電力値のN時刻分の累加算結果Pで正規化した値（累加算結果Pに対するCrの比）が所定の基準値より大きければ、先行波レプリカは正しいレプリカであると判定される。反対に、所定の基準値より小さければ、先行波レプリカは正しくないレプリカであると判定される。
【００６１】
以上のような原理を利用するために、相関計算部５２は上式（６）の第１項の計算を行うように構成される。また、電力計算部５３は上式（７）の２行目の式の第１項の計算を行うように構成される。相関計算部５２と電力計算部５３の構成については後述する。
【００６２】
図３の説明に戻り、以上のような原理を利用した判定結果に応じて選択部５１により選択された信号は、可変係数IIRフィルタ１４、選択部５５、および相関計算部５６に供給される。遅延部１２から供給された時間域受信信号と、減算部１３から供給された先行波除去時間域信号を区別する必要がない場合、選択部５１により選択された信号を単に時間域受信信号という。
【００６３】
可変係数IIRフィルタ１４は減算部２１と可変係数FIRフィルタ２２から構成される。選択部５１から出力された時間域受信信号は減算部２１に入力される。
【００６４】
減算部２１は、可変係数FIRフィルタ２２から供給された遅延波レプリカを、選択部５１から供給された時間域受信信号から減算することによって、時間域受信信号に含まれる遅延波成分を除去する。遅延波レプリカを減算することによって減算部２１により生成された遅延波除去時間域信号は、可変係数FIRフィルタ２２に供給されるとともに、選択部５５に供給される。
【００６５】
可変係数FIRフィルタ２２は、減算部２１から供給された遅延波除去時間域信号に対して、図示せぬ係数更新回路により生成された係数を用いてフィルタリングを施し、遅延波レプリカを生成する。可変係数FIRフィルタ２２により生成された遅延波レプリカは、減算部２１、相関計算部５６、および電力計算部５７に供給される。
【００６６】
選択部５５は、レプリカ判定部５８による判定結果に応じて、選択部５１から供給された時間域受信信号と、減算部２１から供給された遅延波除去時間域信号のうちのいずれかを選択し、出力する。レプリカ判定部５８からは、可変係数FIRフィルタ２２により生成された遅延波レプリカが正しいものであるか否かの判定結果を表す信号が供給されてくる。
【００６７】
遅延波レプリカが正しいものであるとレプリカ判定部５８により判定された場合、選択部５５においては、減算部２１から供給された遅延波除去時間域信号が選択される。一方、遅延波レプリカが正しいものではないとレプリカ判定部５８により判定された場合、選択部５１から供給された時間域受信信号が選択される。
【００６８】
このように、遅延波成分を除去する際にも、先行波成分を除去する際に行われた処理と同様の処理が行われる。
【００６９】
正しくない遅延波レプリカを用いて信号成分を減算した場合、マルチパス成分を新たに加えてしまうことになり、受信性能が劣化する。従って、可変係数FIRフィルタ２２により生成された遅延波レプリカが正しいものでない場合には、入力されたままの時間域受信信号を選択し、後段に出力するようにすることにより、このような弊害が生じるのを防止することが可能になる。
【００７０】
相関計算部５６は、選択部５１から供給された時間域受信信号と、可変係数FIRフィルタ２２により生成された遅延波レプリカの各時刻における相関を計算する。可変係数FIRフィルタ２２により生成された遅延波レプリカが正しいものである場合、その遅延波レプリカは選択部５１から供給された時間域受信信号との相関が高い信号になる。相関計算部５６は、計算結果を表す信号をレプリカ判定部５８に出力する。
【００７１】
電力計算部５７は、可変係数FIRフィルタ２２により生成された遅延波レプリカの電力を計算し、計算結果を表す信号をレプリカ判定部５８に出力する。
【００７２】
レプリカ判定部５８は、相関計算部５６により計算された相関値と、電力計算部５７により計算された遅延波レプリカの電力値に基づいて、可変係数FIRフィルタ２２により生成された遅延波レプリカが正しいものであるか否かを判定する。
【００７３】
遅延波レプリカの正当性の判定方法も、先行波レプリカの正当性の判定方法と同様である。式（６）のb(k)は、先行波レプリカの正当性の判定においては先行波レプリカを表すものとしていたが、遅延波レプリカの正当性の判定においては、可変係数FIRフィルタ２２により生成された遅延波レプリカを表す。
【００７４】
また、式（６）は下式（８）のように変形される。
【数８】
2010074577.tif 000010
【００７５】
係数が正しく、理想的な遅延波レプリカが可変係数FIRフィルタ２２により生成されたとすると、選択部５１から出力される時間域受信信号の先行波や主波と遅延波レプリカとの相関値は小さく、遅延波と遅延波レプリカの相関値は大きくなる。
【００７６】
式（８）において、先行波や主波と遅延波レプリカとの相関値は第２項および第３項の値として表され、遅延波と遅延波レプリカの相関値は第１項の値として表される。
【００７７】
また、理想的な遅延波レプリカが生成されているならば、ar(2)(k)≒br(k)、かつ、ai(2)(k)≒bi(k)が成り立つので、式（８）のCrは下式（９）のように表すことができる。βは式（８）の第２項の値と第３項の値の和である。
【数９】
2010074577.tif 000011
【００７８】
遅延波レプリカの各時刻における電力のN時刻分の累加算結果をPとおくと、式（９）の２行目の式の右辺第１項の値はPに一致する。
【００７９】
一方、遅延波レプリカが正しく生成されなかったとすると、式（９）の１行目の式から２行目の式への変形はできず、１行目の式の第１項の値として表される、遅延波と遅延波レプリカの相関値も小さくなる。
【００８０】
可変係数FIRフィルタ２２により生成された遅延波レプリカが正しいものであるか否か、すなわち、時間域受信信号に含まれる遅延波の成分と同じ成分を表すものであるか否かの判定においては、以上のような原理が利用される。
【００８１】
式（９）で得られるCrを、遅延波レプリカの電力値のN時刻分の累加算結果Pで正規化した値が所定の基準値より大きければ、遅延波レプリカは正しいレプリカであると判定される。反対に、所定の基準値より小さければ、遅延波レプリカは正しくないレプリカであると判定される。
【００８２】
以上のような原理を利用するために、相関計算部５６は上式（８）の第１項の計算を行うように構成される。また、電力計算部５７は上式（９）の２行目の式の第１項の計算を行うように構成される。
【００８３】
以上のような原理を利用した判定結果に応じて選択部５５により選択された信号は、等化後信号として図２の誤り訂正処理器４６に供給される。誤り訂正処理器４６に対しては、先行波成分と遅延波成分が除去された信号、先行波成分だけ、または遅延波成分だけが除去された信号、先行波成分も遅延波成分も除去されない受信されたままの時間域受信信号のうちのいずれかの信号が供給されることになる。
【００８４】
図４は、図３の相関計算部５２の構成例を示す図である。
【００８５】
上述したように、相関計算部５２は式（６）の第１項の計算を行うように構成される。遅延部１２から出力された時間域受信信号のＩ成分と、可変係数FIRフィルタ１１から出力された先行波レプリカのＩ成分は乗算部８１に入力される。遅延部１２から出力された時間域受信信号のＱ成分と、可変係数FIRフィルタ１１から出力された先行波レプリカのＱ成分は乗算部８２に入力される。
【００８６】
乗算部８１は、時間域受信信号のＩ成分と先行波レプリカのＩ成分を乗算し、乗算結果を表す信号を加算部８３に出力する。
【００８７】
乗算部８２は、時間域受信信号のＱ成分と先行波レプリカのＱ成分を乗算し、乗算結果を表す信号を加算部８３に出力する。
【００８８】
加算部８３は、乗算部８１による乗算結果と乗算部８２による乗算結果を加算し、加算結果を表す信号を加算部８４に出力する。加算部８３の出力は、各時刻における、時間域受信信号と先行波レプリカの相関値に相当する。
【００８９】
加算部８４は、レジスタ８５からの出力に対して加算器８３からの出力を加算し、加算結果をレジスタ８５に保持させる。
【００９０】
レジスタ８５は、所定のN時刻分の相関値の累加算が終了した場合、その累加算結果をレプリカ判定部５４に出力する。累加算の開始時、レジスタ８５が保持する値はクリアされる。
【００９１】
相関計算部５６も、図４に示される相関計算部５２の構成と同様の構成を有している。選択部５１から出力された時間域受信信号のＩ成分と遅延波レプリカのＩ成分が乗算部８１において乗算され、時間域受信信号のＱ成分と遅延波レプリカのＱ成分が乗算部８２において乗算される。それぞれの乗算結果が加算部８３において加算され、加算結果が、レジスタ８５により保持されている値に加算部８４により加算されて累加算結果が求められる。
【００９２】
図５は、図３の電力計算部５３の構成例を示す図である。
【００９３】
上述したように、電力計算部５３は式（７）の２行目の式の第１項の計算を行うように構成される。可変係数FIRフィルタ１１から出力された先行波レプリカのＩ成分は２乗計算部９１に入力され、Ｑ成分は２乗計算部９２に入力される。
【００９４】
２乗計算部９１は、先行波レプリカのI成分を２乗し、計算結果を加算部９３に出力する。
【００９５】
２乗計算部９２は、先行波レプリカのＱ成分を２乗し、計算結果を加算部９３に出力する。
【００９６】
加算部９３は、２乗計算部９１による計算結果と２乗計算部９２による計算結果を加算し、加算結果を表す信号を加算部９４に出力する。加算部９３の出力は、各時刻における先行波レプリカの電力値に相当する。
【００９７】
加算部９４は、レジスタ９５からの出力に対して加算器９３からの出力を加算し、加算結果をレジスタ９５に保持させる。
【００９８】
レジスタ９５は、所定のN時刻分の相関値の累加算が終了した場合、その累加算結果をレプリカ判定部５４に出力する。累加算の開始時、レジスタ９５が保持する値はクリアされる。
【００９９】
電力計算部５７も、図５に示される電力計算部５３の構成と同様の構成を有している。遅延波レプリカのＩ成分の２乗が２乗計算部９１において計算され、遅延波レプリカのＱ成分の２乗が２乗計算部９２において計算される。それぞれの計算結果が加算部９３において加算され、加算結果が、レジスタ９５により保持されている値に加算部９４により加算されて累加算結果が求められる。
【０１００】
［等化器の動作］
次に、以上のような構成を有する等化器４５の動作についてフローチャートを参照して説明する。各ステップの処理は、適宜、他の処理と並行して、または前後して行われる。
【０１０１】
はじめに、図６のフローチャートを参照して、等化器４５の等化処理について説明する。
【０１０２】
ステップＳ１において先行波除去処理が行われ、ステップＳ２において遅延波除去処理が行われる。
【０１０３】
次に、図７のフローチャートを参照して、図６のステップＳ１において行われる先行波除去処理について説明する。
【０１０４】
ステップＳ１１において、遅延部１２は、時間域受信信号を遅延させ、遅延させた時間域受信信号を出力する。
【０１０５】
ステップＳ１２において、可変係数FIRフィルタ１１は、係数更新回路により生成された係数を用いてフィルタリングを行うことによって先行波レプリカを生成する。
【０１０６】
ステップＳ１３において、減算部１３は、遅延部１２が遅延させた時間域受信信号から、可変係数FIRフィルタ１１により生成された先行波レプリカを減算することによって先行波除去時間域信号を生成する。
【０１０７】
ステップＳ１４において、相関計算部５２は、時間域受信信号と、可変係数FIRフィルタ１１により生成された先行波レプリカの相関を計算する。
【０１０８】
ステップＳ１５において、電力計算部５３は、可変係数FIRフィルタ１１により生成された先行波レプリカの電力を計算する。
【０１０９】
ステップＳ１６において、レプリカ判定部５４は、相関計算部５２により計算された相関値と、電力計算部５３により計算された先行波レプリカの電力値に基づいて、先行波レプリカが正しいものであるか否かを上述したようにして判定する。
【０１１０】
ステップＳ１７において、選択部５１は、レプリカ判定部５４による判定結果に応じて、遅延部１２が遅延させた時間域受信信号と、減算部１３により生成された先行波除去時間域信号のうちのいずれかを選択し、出力する。その後、図６のステップＳ１に戻り、ステップＳ２の処理が行われる。
【０１１１】
次に、図８のフローチャートを参照して、図６のステップＳ２において行われる遅延波除去処理について説明する。
【０１１２】
ステップＳ２１において、可変係数FIRフィルタ２２は、減算部２１により生成された遅延波除去時間域信号に対してフィルタリングを施し、遅延波レプリカを生成する。
【０１１３】
ステップＳ２２において、減算部２１は、時間域受信信号から、可変係数FIRフィルタ２２により生成された遅延波レプリカを減算することによって遅延波除去時間域信号を生成する。
【０１１４】
ステップＳ２３において、相関計算部５６は、時間域受信信号と、可変係数FIRフィルタ２２により生成された遅延波レプリカの相関値を計算する。
【０１１５】
ステップＳ２４において、電力計算部５７は、可変係数FIRフィルタ２２により生成された遅延波レプリカの電力値を計算する。
【０１１６】
ステップＳ２５において、レプリカ判定部５８は、相関計算部５６により計算された相関値と、電力計算部５７により計算された遅延波レプリカの電力値に基づいて、遅延波レプリカが正しいものであるか否かを上述したようにして判定する。
【０１１７】
ステップＳ２６において、選択部５５は、レプリカ判定部５８による判定結果に応じて、選択部５１により選択された時間域受信信号と、減算部２１により生成された遅延波除去時間域信号のうちのいずれかを選択し、出力する。その後、図６のステップＳ２に戻り、等化処理が終了される。
【０１１８】
以上の処理により、正しくないマルチパス成分のレプリカを用いて減算処理を行ってしまうことにより新たなマルチパスを加えてしまうといったことを防ぐことが可能になる。
【０１１９】
＜第２の実施の形態＞
［等化器の構成］
直交周波数分割多重信号（OFDM(Orthogonal Frequency Division Multiplex)信号）を受信する受信装置について説明する。
【０１２０】
受信信号がOFDM信号である場合、マルチパス成分のレプリカを時間域受信信号から減算することによって干渉（シンボル間干渉およびキャリア間干渉）を除去する処理を、マルチパスによる干渉を受けている区間に対してだけ施すようにすることが可能である。
【０１２１】
図９は、OFDMシンボルを示す図である。
【０１２２】
OFDM方式においては、信号の伝送はOFDMシンボル（以下、適宜、単にシンボルという）と呼ばれる単位で行われる。
【０１２３】
１シンボルは、有効シンボルと、ガードインターバル（以下、GIという）とから構成される。有効シンボルは、送信側において逆フーリエ変換（IFFT(Inverse Fast Fourier Transform)）が施される信号区間である。GIは、有効シンボルの後半の一部分の波形がコピーされた信号区間である。複数のサブキャリアにデータが割り当てられることから、有効シンボルの区間を対象として、送信側においてはIFFTが行われ、受信側においてはフーリエ変換（FFT(Fast Fourier Transform)）が行われる。
【０１２４】
GIは、時間軸上で有効シンボルの前の位置に挿入される。受信したOFDM信号に含まれるマルチパスの遅延時間がGI内であれば、FFTを施す区間を受信側で適切に選ぶことにより、FFT区間内の信号については直交性が保たれるため、マルチパスの影響を受けることがない。
【０１２５】
一方、マルチパスの遅延時間がGIを越える場合、図１０に示されるように、FFT区間に他のシンボルの一部が入ってしまい、直交性が失われ、受信性能が大きく劣化する。
【０１２６】
図１０は、遅延波が１波だけ存在するマルチパス環境において受信されるOFDM信号を示している。GIAと有効シンボルＡからなるシンボルＡに続けてGIBと有効シンボルＢからなるシンボルＢが受信され、主波の有効シンボルＢを対象としてFFT区間が設定されているが、このFFT区間には、信号SAとして示される、シンボルＡの一部が含まれている。
【０１２７】
信号SAの区間がマルチパス干渉を受けている区間となり、この区間に対してだけ、干渉除去処理を施すようにすることが可能である。
【０１２８】
なお、この場合でも、正しくないレプリカを用いて減算処理を行った場合には新たなマルチパスを加えてしまうことになり受信性能を劣化させてしまうことから、レプリカが正しいものであるか否かの判定は必要になる。
【０１２９】
図１１は、等化器４５の他の構成例を示す図である。
【０１３０】
図１１の等化器４５が図２の受信装置３１に設けられる。図１１の等化器４５の後段には、FFTを行う構成であるFFT演算部や、OFDM受信信号に含まれるパイロット信号に基づいて伝送路特性を推定する伝送路特性推定部なども設けられる。
【０１３１】
図１１において、図３の構成と同じ構成には同じ符号を付してある。重複する説明については適宜省略する。図１１の等化器４５の構成は、減算部１３に替えて干渉置換え部１０１が設けられ、減算部２１に替えて干渉置換え部１０２が設けられる点で、図３の構成と異なる。
【０１３２】
干渉置換え部１０１，１０２に対しては、各シンボルのFFT区間を表す情報が図示せぬFFT演算部から供給され、伝送路特性を表す情報が図示せぬ伝送路特性推定部から供給される。遅延広がりなどの伝送路特性の情報は、処理対象のFFT区間が干渉を受けている区間であるか否かを判断するためや、信号のタイミングを合わせるためなどに用いられる。
【０１３３】
干渉置換え部１０１は、遅延部１２から供給された時間域受信信号に含まれる、干渉を受けている区間の信号を、可変係数FIRフィルタ１１により生成された先行波レプリカによって置き換え、一部を先行波レプリカによって置き換えた信号を出力する。
【０１３４】
図１２は、干渉置換え部１０１による信号の置き換えの例を示す図である。
【０１３５】
図１２（ａ０）は、干渉置換え部１０１に供給された時間域受信信号を表す。GIAと有効シンボルＡからなるシンボルＡに続けてGIBと有効シンボルＢからなるシンボルＢが先行波と主波によって伝送されている。
【０１３６】
図１２（ａ０）の例においては、シンボルＡを復調するために、主波のGIAの先頭が開始位置になるようにFFT区間が設定されているが、このFFT区間には、信号SBで示される、先行波によって伝送されるシンボルＢの一部が含まれている。信号SBは除去しなければならない信号になる。
【０１３７】
図１２（ａ１）は、可変係数FIRフィルタ１１により生成された、シンボルＢの先行波レプリカを表す。シンボルＢの先行波レプリカの先頭が、先行波で伝送されるシンボルＢの先頭と合うようにタイミングが調整されている。
【０１３８】
干渉置換え部１０１においては、矢印Ａ1で示されるように、信号SBの部分のみ、シンボルＢの先行波レプリカを用いた減算が行われる。
【０１３９】
図１２（ａ２）は、シンボルＢの先行波レプリカを用いた減算結果を表す。図１２（ａ２）に示されるように、FFT区間に含まれている信号SBが時間域受信信号から除去され、これにより、シンボルＢによるシンボル間干渉が除去される。
【０１４０】
図１２（ａ３）は、シンボルＢの先行波レプリカの前に可変係数FIRフィルタ１１により生成された、シンボルＡの先行波レプリカを表す。
【０１４１】
干渉置換え部１０１においては、時間域受信信号のうちのシンボル間干渉を受けている区間と、対応する信号（同じ信号）である先行波レプリカの信号SAの区間が合うように、シンボルＡの先行波レプリカのタイミングが調整される。先行波レプリカが正しい場合、先行波レプリカの信号SAは、先行波によって伝送される有効シンボルＡのうちのFFT区間に含まれていない区間にある信号と同じ信号になる。
【０１４２】
また、矢印Ａ2で示されるように、シンボルＡの先行波レプリカの信号SAの部分のみ、時間域受信信号に加算される。
【０１４３】
図１２（ａ４）は、シンボルＡの先行波レプリカを用いた加算結果を表す。FFT区間にはシンボルＡのみが含まれ、図１２（ａ４）に示される信号はキャリア間干渉除去後の信号になる。このキャリア間干渉除去後の信号が、先行波除去時間域信号として干渉置換え部１０１から出力され、選択部５１に供給される。
【０１４４】
図１３は、図１２に示されるような信号の置換え処理を行う干渉置換え部１０１の構成例を示す図である。
【０１４５】
干渉置換え部１０１は、減算部１１１、選択部１１２、遅延部１１３、加算部１１４、および選択部１１５から構成される。
【０１４６】
遅延部１２から出力された時間域受信信号は減算部１１１と選択部１１２に入力され、可変係数FIRフィルタ１１から出力された先行波レプリカは減算部１１１と遅延部１１３に入力される。図１２（ａ１）に示されるように、先行波によるシンボル間干渉を受けている区間の信号である信号SBと先行波レプリカの信号SBのタイミングが合うように、タイミングが調整された先行波レプリカが入力される。
【０１４７】
減算部１１１は、図１２（ａ１）に示されるようにして、先行波レプリカを用いて信号SBを時間域受信信号から減算し、減算結果を出力する。図１２（ａ２）に示されるような時間域受信信号が減算部１１１から選択部１１２に供給される。
【０１４８】
選択部１１２は、シンボル間干渉を受けている区間がFFT区間に含まれるシンボルを処理対象としているときには、減算部１１１から供給された時間域受信信号を選択し、出力する。また、選択部１１２は、シンボル間干渉を受けている区間がFFT区間に含まれていないシンボルを処理対象としているときには、遅延部１２から供給された時間域受信信号を選択し、出力する。選択部１１２から出力された時間域受信信号は加算部１１４と選択部１１５に供給される。
【０１４９】
遅延部１１３は、可変係数FIRフィルタ１１から供給された先行波レプリカを遅延させ、出力する。遅延部１１３においては、図１２（ａ３）に示されるように、時間域受信信号の各シンボルのFFT区間のうちのシンボル間干渉を受けている区間と、対応する先行波レプリカの区間が合うように、先行波レプリカのタイミングが調整される。遅延部１１３から出力された先行波レプリカは加算部１１４に供給される。
【０１５０】
加算部１１４は、図１２（ａ３）に示されるようにして、先行波レプリカの一部を、選択部１１２から供給された時間域受信信号に加算し、加算結果を出力する。図１２（ａ４）に示されるような時間域受信信号が、加算部１１４から選択部１１５に供給される。
【０１５１】
選択部１１５は、シンボル間干渉を受けている区間がFFT区間に含まれるシンボルを処理対象としているときには、加算部１１４から供給された時間域受信信号を選択し、出力する。また、選択部１１５は、シンボル間干渉を受けている区間がFFT区間に含まれていないシンボルを処理対象としているときには、選択部１１２から供給された時間域受信信号を選択し、出力する。選択部１１５により選択された時間域受信信号は、先行波除去時間域信号として選択部５１に入力される。
【０１５２】
次に、図１１の干渉置換え部１０２による信号の置き換えについて説明する。
【０１５３】
干渉置換え部１０２は、選択部５１から供給された時間域受信信号に含まれる、干渉を受けている区間の信号を、可変係数FIRフィルタ２２により生成された遅延波レプリカによって置き換え、一部を遅延波レプリカによって置き換えた信号を出力する。
【０１５４】
図１４は、干渉置換え部１０２による信号の置き換えの例を示す図である。
【０１５５】
図１４（ａ０）は、干渉置換え部１０２に供給された時間域受信信号を表す。GIAと有効シンボルＡからなるシンボルＡに続けてGIBと有効シンボルＢからなるシンボルＢが主波と遅延波によって伝送されている。
【０１５６】
図１４（ａ０）の例においては、シンボルＢを復調するために、主波の有効シンボルＢの先頭が開始位置になるようにFFT区間が設定されているが、このFFT区間には、信号SAで示される、遅延波によって伝送されるシンボルＡの一部が含まれている。信号SAは除去しなければならない信号になる。
【０１５７】
図１４（ａ１）は、可変係数FIRフィルタ２２により生成された、シンボルＡの遅延波レプリカを表す。シンボルＡの遅延波レプリカの先頭が、遅延波で伝送されるシンボルＡの先頭と合うようにタイミングが調整されている。
【０１５８】
干渉置換え部１０２においては、矢印Ａ11で示されるように、信号SAの部分のみ、シンボルＡの遅延波レプリカを用いた減算が行われる。
【０１５９】
図１４（ａ２）は、シンボルＡの先行波レプリカを用いた減算結果を表す。図１４（ａ２）に示されるように、FFT区間に含まれている信号SAが除去され、これにより、シンボルＡによるシンボル間干渉が除去される。
【０１６０】
図１４（ａ３）は、可変係数FIRフィルタ２２により生成された、シンボルＢの遅延波レプリカを表す。
【０１６１】
干渉置換え部１０２においては、時間域受信信号のうちのシンボル間干渉を受けている区間と、対応する信号である遅延波レプリカの信号SBの区間が合うように、シンボルＢの遅延波レプリカのタイミングが調整される。遅延波レプリカが正しい場合、遅延波レプリカの信号SBは、遅延波によって伝送される有効シンボルＢのうちのFFT区間に含まれていない区間にある信号と同じ信号になる。
【０１６２】
また、矢印Ａ12で示されるように、シンボルＢの遅延波レプリカの信号SBの部分のみ、時間域受信信号に加算される。
【０１６３】
図１４（ａ４）は、シンボルＢの遅延波レプリカを用いた加算結果を表す。FFT区間にはシンボルＢのみが含まれ、図１４（ａ４）に示される信号はキャリア間干渉除去後の信号になる。このキャリア間干渉除去後の信号が、遅延波除去時間域信号として干渉置換え部１０２から出力され、可変係数FIRフィルタ２２、選択部５５に供給される。
【０１６４】
図１５は、図１４に示されるような信号の置換え処理を行う干渉置換え部１０２の構成例を示す図である。
【０１６５】
干渉置換え部１０２は、減算部１２１、選択部１２２、遅延部１２３、加算部１２４、および選択部１２５から構成される。
【０１６６】
選択部５１から出力された時間域受信信号は減算部１２１と選択部１２２に入力され、可変係数FIRフィルタ２２から出力された遅延波レプリカは減算部１２１と加算部１２４に入力される。図１４（ａ１）に示されるように、遅延波によるシンボル間干渉を受けている区間の信号である信号SAと遅延波レプリカの信号SAのタイミングが合うように、タイミングが調整された遅延波レプリカが入力される。
【０１６７】
減算部１２１は、図１４（ａ１）に示されるようにして、遅延波レプリカを用いて信号SAを時間域受信信号から減算し、減算結果を出力する。図１４（ａ２）に示されるような時間域受信信号が減算部１２１から選択部１２２に供給される。
【０１６８】
選択部１２２は、シンボル間干渉を受けている区間がFFT区間に含まれるシンボルを処理対象としているときには、減算部１２１から供給された時間域受信信号を選択し、出力する。また、選択部１１２は、シンボル間干渉を受けている区間がFFT区間に含まれていないシンボルを処理対象としているときには、選択部５１から供給された時間域受信信号を選択し、出力する。選択部１２２から出力された時間域受信信号は遅延部１２３に入力される。
【０１６９】
遅延部１２３は、選択部１２２から供給された時間域受信信号を遅延させ、出力する。遅延部１２３から出力された時間域受信信号は加算部１２４、選択部１２５に入力される。図１４（ａ３）に示されるように、時間域受信信号の各シンボルのFFT区間のうちのシンボル間干渉を受けている区間と、対応する遅延波レプリカの区間が合うように、時間域受信信号のタイミングが調整される。
【０１７０】
加算部１２４は、図１４（ａ３）に示されるようにして、遅延波レプリカの一部を、遅延部１２３から供給された時間域受信信号に加算し、加算結果を出力する。図１４（ａ４）に示されるような時間域受信信号が、選択部１２５に入力される。
【０１７１】
選択部１２５は、シンボル間干渉を受けている区間がFFT区間に含まれるシンボルを処理対象としているときには、加算部１２４から供給された時間域受信信号を選択し、出力する。また、選択部１２５は、シンボル間干渉を受けている区間がFFT区間に含まれていないシンボルを処理対象としているときには、遅延部１２３から供給された時間域受信信号を選択し、出力する。選択部１２５から出力された時間域受信信号は、遅延波除去時間域信号として可変係数FIRフィルタ２２、選択部５５に入力される。
【０１７２】
［等化器の動作］
次に、以上のような構成を有する等化器４５の動作についてフローチャートを参照して説明する。各ステップの処理は、適宜、他の処理と並行して、または前後して行われる。
【０１７３】
図１１の等化器４５においても、図６を参照して説明した等化処理と同様の処理が行われる。すなわち、ステップＳ１において先行波除去処理が行われ、ステップＳ２において遅延波除去処理が行われる。
【０１７４】
図１６のフローチャートを参照して、図１１の等化器４５により図６のステップＳ１において行われる先行波除去処理について説明する。図１６に示される処理は、マルチパス干渉の除去に関する処理が異なる点を除いて、図７を参照して説明した処理と同様の処理である。
【０１７５】
ステップＳ５１において、遅延部１２は、時間域受信信号を遅延させ、遅延させた時間域受信信号を出力する。
【０１７６】
ステップＳ５２において、可変係数FIRフィルタ１１は、係数更新回路により生成された係数を用いてフィルタリングを行うことによって先行波レプリカを生成する。
【０１７７】
ステップＳ５３において、干渉置換え部１０１は、図１２等を参照して説明したようにして、時間域受信信号に含まれる干渉を受けている区間の信号を先行波レプリカによって置き換え、先行波除去時間域信号を生成する。
【０１７８】
ステップＳ５４において、相関計算部５２は、時間域受信信号と、可変係数FIRフィルタ１１により生成された先行波レプリカの相関値を計算する。
【０１７９】
ステップＳ５５において、電力計算部５３は、可変係数FIRフィルタ１１により生成された先行波レプリカの電力値を計算する。
【０１８０】
ステップＳ５６において、レプリカ判定部５４は、相関計算部５２により計算された相関値と、電力計算部５３により計算された先行波レプリカの電力値に基づいて、先行波レプリカが正しいものであるか否かを判定する。
【０１８１】
ステップＳ５７において、選択部５１は、レプリカ判定部５４による判定結果に応じて、遅延部１２が遅延させた時間域受信信号と、干渉置換え部１０１により生成された先行波除去時間域信号のうちのいずれかを選択し、出力する。その後、図６のステップＳ１に戻り、ステップＳ２の処理が行われる。
【０１８２】
次に、図１７のフローチャートを参照して、図６のステップＳ２において行われる遅延波除去処理について説明する。
【０１８３】
ステップＳ６１において、可変係数FIRフィルタ２２は、干渉置換え部１０２により生成された遅延波除去時間域信号に対してフィルタリングを施し、遅延波レプリカを生成する。
【０１８４】
ステップＳ６２において、干渉置換え部１０２は、図１４等を参照して説明したようにして、時間域受信信号に含まれる干渉を受けている区間の信号を遅延波レプリカによって置き換え、遅延波除去時間域信号を生成する。
【０１８５】
ステップＳ６３において、相関計算部５６は、時間域受信信号と、可変係数FIRフィルタ２２により生成された遅延波レプリカの相関値を計算する。
【０１８６】
ステップＳ６４において、電力計算部５７は、可変係数FIRフィルタ２２により生成された遅延波レプリカの電力値を計算する。
【０１８７】
ステップＳ６５において、レプリカ判定部５８は、相関計算部５６により計算された相関値と、電力計算部５７により計算された遅延波レプリカの電力値に基づいて、遅延波レプリカが正しいものであるか否かを上述したようにして判定する。
【０１８８】
ステップＳ６６において、選択部５５は、レプリカ判定部５８による判定結果に応じて、選択部５１により選択された時間域受信信号と、干渉置換え部１０２により生成された遅延波除去時間域信号のうちのいずれかを選択し、出力する。その後、図６のステップＳ２に戻り、等化処理が終了される。
【０１８９】
以上のように、受信したOFDM信号の各シンボルのFFT区間に含まれるマルチパスの干渉を受けている区間のみを対象として処理を行う等化器においても、正しくないマルチパス成分のレプリカを用いて減算処理を行うことを防ぐことができる。これにより、新たなマルチパスを加えてしまうといったことを防ぐことが可能になる。
【０１９０】
上述した一連の処理は、ハードウエアにより実行することもできるし、ソフトウエアにより実行することもできる。一連の処理をソフトウエアにより実行する場合には、そのソフトウエアを構成するプログラムが、専用のハードウェアに組み込まれているコンピュータ、または汎用のパーソナルコンピュータなどに、プログラム記録媒体からインストールされる。
【０１９１】
図１８は、上述した一連の処理をプログラムにより実行するコンピュータのハードウェアの構成例を示すブロック図である。
【０１９２】
CPU(Central Processing Unit)２０１、ROM(Read Only Memory)２０２、RAM(Random Access Memory)２０３は、バス２０４により相互に接続されている。
【０１９３】
バス２０４には、さらに、入出力インタフェース２０５が接続されている。入出力インタフェース２０５には、キーボード、マウスなどよりなる入力部２０６、ディスプレイ、スピーカなどよりなる出力部２０７が接続される。また、バス２０４には、ハードディスクや不揮発性のメモリなどよりなる記憶部２０８、ネットワークインタフェースなどよりなる通信部２０９、リムーバブルメディア２１１を駆動するドライブ２１０が接続される。
【０１９４】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【０１９５】
CPU２０１が実行するプログラムは、例えばリムーバブルメディア２１１に記録して、あるいは、ローカルエリアネットワーク、インターネット、デジタル放送といった、有線または無線の伝送媒体を介して提供され、記憶部２０８にインストールされる。
【０１９６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１９７】
本発明の実施の形態は、上述した実施の形態に限定されるものではなく、本発明の要旨を逸脱しない範囲において種々の変更が可能である。
【図面の簡単な説明】
【０１９８】
【図１】従来の等化器の構成を示す図である。
【図２】本発明の一実施形態に係る受信装置の一部の構成例を示す図である。
【図３】図２の等化器の構成例を示す図である。
【図４】図３の相関計算部の構成例を示す図である。
【図５】図３の電力計算部の構成例を示す図である。
【図６】等化器の等化処理について説明するフローチャートである。
【図７】図６のステップＳ１において行われる先行波除去処理について説明するフローチャートである。
【図８】図６のステップＳ２において行われる遅延波除去処理について説明するフローチャートである。
【図９】OFDMシンボルを示す図である。
【図１０】マルチパスによる干渉を示す図である。
【図１１】図２の等化器の他の構成例を示す図である。
【図１２】図１１の干渉置換え部１０１による信号の置き換えの例を示す図である。
【図１３】干渉置換え部１０１の構成例を示す図である。
【図１４】図１１の干渉置換え部１０２による信号の置き換えの例を示す図である。
【図１５】干渉置換え部１０２の構成例を示す図である。
【図１６】図６のステップＳ１において行われる他の先行波除去処理について説明するフローチャートである。
【図１７】図６のステップＳ２において行われる他の遅延波除去処理について説明するフローチャートである。
【図１８】コンピュータのハードウェアの構成例を示すブロック図である。
【符号の説明】
【０１９９】
１１  可変係数FIRフィルタ，  １２  遅延部，  １３  減算部，  １４  可変係数IIRフィルタ，  ４５  等化器，  ５１，５５  選択部，  ５２，５６  相関計算部，  ５３，５７  電力計算部，  ５４，５８  レプリカ判定部，  １０１，１０２  干渉置換え部
【図１】
2010074577.tif 000012
【図２】
2010074577.tif 000013
【図３】
2010074577.tif 000014
【図４】
2010074577.tif 000015
【図５】
2010074577.tif 000016
【図６】
2010074577.tif 000017
【図７】
2010074577.tif 000018
【図８】
2010074577.tif 000019
【図９】
2010074577.tif 000020
【図１０】
2010074577.tif 000021
【図１１】
2010074577.tif 000022
【図１２】
2010074577.tif 000023
【図１３】
2010074577.tif 000024
【図１４】
2010074577.tif 000025
【図１５】
2010074577.tif 000026
【図１６】
2010074577.tif 000027
【図１７】
2010074577.tif 000028
【図１８】
2010074577.tif 000029